(57)【要約】【課題】ユーザーの指が入らないように構成しつつ、強度を向上させた送風グリルを備えた空気調和機の室外機を提供すること。【解決手段】本発明の空気調和機の室外機は、内部に送風機と、送風機の前面に配置し筐体の一部を構成する送風グリルとを備えた空気調和機の室外機であって、送風グリルの外周部に格子状の通風穴を設けたことにより、通風穴の形状が格子状であるために、外からの力をグリル外周部全体で受けることができるため強度の向上を図ることができる。【選択図】図１
2012233657.tif 000002
【特許請求の範囲】
【請求項１】
内部に送風機と、前記送風機の前面に配置し筐体の一部を構成する送風グリルとを備えた空気調和機の室外機であって、前記送風グリルの外周部に格子状の通風穴を設けたことを特徴とする空気調和機の室外機。
【請求項２】
前記格子状の通風穴は前後方向に複数を有し、前側の格子状の通風穴の前後幅の方が、後側の格子状の通風穴の前後幅よりも大きいことを特徴とする請求項１に記載の空気調和機の室外機。
【請求項３】
前記格子状の通風穴を形成する縦桟の左右幅よりも、前記縦桟の断面形状の上下幅の方を大きくしたことを特徴とする請求項１または２に記載の空気調和機の室外機。
【発明の詳細な説明】
【技術分野】
【０００１】
本発明は、空気調和機の室外機の構成に関する。
【背景技術】
【０００２】
従来の空気調和機では、冷暖房の能力を制御するのに室外機に配置された圧縮機や送風機の回転数を可変させている。このような空気調和機の室外機においては、送風機が回転中に、ユーザーが送風機に触ることができないように、送風機の前側には送風グリルが設けられている。
【０００３】
一方で、この送風グリルは送風機から吹出す風の流れの抵抗となる。そのため、送風機を回転させるファンモータの入力を大きくすることによって、抵抗を加味した回転数としている。
【０００４】
このような抵抗を低減する技術には、室外機の送風グリルの外周を形成するフレームに切り欠き形状を設けて、より風が通りやすい形状とすることが知られている（例えば、特許文献１参照）。
【０００５】
図５は、従来の空気調和機の室外機の外観斜視図である。図５に示すように、送風グリル６の外周部には、スリット状の切り欠き部１３を備えている。
【先行技術文献】
【特許文献】
【０００６】
【特許文献１】特開２０１０−１８１１１６号公報
【発明の概要】
【発明が解決しようとする課題】
【０００７】
しかしながら、前記従来の構成では、ユーザーの指が入らないようにするために、送風グリルに設けたスリット状の切り欠きの幅に制約がありつつ、ある程度の強度が必要であるという課題を有していた。
【０００８】
本発明は、前記従来の課題を解決するもので、ユーザーの指が入らないように構成しつつ、強度を向上させた送風グリルを備えた空気調和機の室外機を提供することを目的とする。
【課題を解決するための手段】
【０００９】
前記従来の課題を解決するために本発明の空気調和機の室外機は、内部に送風機と、送風機の前面に配置し筐体の一部を構成する送風グリルとを備えた空気調和機の室外機であって、送風グリルの外周部に格子状の通風穴を設けたことにより、通風穴の形状が格子状であるために、外からの力をグリル外周部全体で受けることができるため強度の向上を図ることができる。
【発明の効果】
【００１０】
本発明は、ユーザーの指が入らないように構成しつつ、強度を向上させた送風グリルを備えた空気調和機の室外機を提供することができる。
【図面の簡単な説明】
【００１１】
【図１】本発明の実施の形態１における空気調和機の室外機の外観斜視図
【図２】同実施の形態１における空気調和機の室外機の要部斜視図
【図３】同実施の形態１におけるＬＬ断面図
【図４】同実施の形態１におけるＫＫ断面図
【図５】従来の空気調和機の室外機の斜視図
【発明を実施するための形態】
【００１２】
第１の発明の空気調和機の室外機は、内部に送風機と、送風機の前面に配置し筐体の一部を構成する送風グリルとを備えた空気調和機の室外機であって、送風グリルの外周部に格子状の通風穴を設けたことにより、通風穴の形状が格子状であるために、外からの力をグリル外周部全体で受けることができるため強度の向上を図ることができる。
【００１３】
第２の発明の空気調和機の室外機は、特に第１の発明において、格子状の通風穴は前後方向に複数を有し、前側の格子状の通風穴の前後幅の方が、後側の格子状の通風穴の前後幅よりも大きいことにより、送風ファンよりも遠い距離にある格子状の通風穴の前後幅を大きいので、安全性を確保しつつ送風性能を向上させることができる。
【００１４】
第３の発明の空気調和機の室外機は、特に第１または第２の発明において、格子状の通風穴を形成する縦桟の左右幅よりも、縦桟の断面形状の上下幅の方を大きくしたことにより、外から押す力に対して十分な強度を確保することができ、送風グリルの破損を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の室外機の外観斜視図、図２は、実施の形態１における空気調和機の室外機の要部斜視図である。なお、本発明の空気調和機の室外機は、室内に設置される室内機（図示せず）と冷媒配管で接続されている。
【００１７】
図１および図２に示すように、実施の形態１における室外機１は、筐体の前側を構成する前板２と、天面を構成する天板３と、側面を構成する側板４とを有している。なお図には示していないが、室外機１内部の機器を載置するための基板（図示せず）を有していることは言うまでもない。
【００１８】
また、前板２には室外機１の内部に配置される送風ファンの前面は開口部となっており、その開口部を覆うように送風グリル６が設けられている。さらに、室外機１の内部には圧縮機（図示せず）や室外熱交換器（図示せず）が配置されており、室外熱交換器の前面側には送風ファン５が配置されている。
【００１９】
また、前板２から絞り加工で一体に形成されたマウスリング８を有している。このマウスリング８は、上流側内径より下流側内径が拡大するよう構成されている。すなわち、図におけるマウスリング８の先端から更に送風グリル６側に行くと、ファンモータ軸を中心とする半径が不連続的に拡大する。これにより送風グリル６側から空気を吸込む逆流が抑制され、効率の良い送風機能が実現される。
【００２０】
次に、格子状の通風穴について説明する。実施の形態１における通風穴は、前板２に平行な方向、すなわち室外機１の正面から見て幅方向に横桟１２が設けられており、その横桟１２に直行する方向に縦桟１１が設けられ、横桟１２と縦桟１１とが直行して形成されることによって、格子状の通風穴１０が設けられる。
【００２１】
このような格子状の通風穴１０が、送風グリル６の周囲に設けられ、風の通り道を形成している。また、送風グリル６は、前板２から出っ張るような形で取り付けられている。すなわち、送風ファン５から送風グリル６を離すことで騒音低減をも実現している。
【００２２】
従来から、お客様の手が触れる部分の設計としてＪＩＳ−Ｃ−０９２２には試験指が規定され、この規定に基づいて安全性を確認する。この規定においては、大人の試験指は直径１２ｍｍ、長さ８０ｍｍとし、幼児試験指は直径５．６ｍｍ、長さ４４ｍｍと規定されている。
【００２３】
ところが、従来の室外機では横桟１２が設けられていなかったため、当該規定をクリアしたとしても、送風グリル６自体の強度が不足してしまい、当該規定よりもさらに幅を狭めて設計しなければならなかったが、本発明では横桟１２を設けたために、送風グリル６の強度が向上し、さらに送風抵抗を減ずる設計を可能にした。
【００２４】
次に、図３はＬＬ断面図、図４はＫＫ断面図である。図１から図３に示すように、格子状の通風穴を前後方向に複数列設けており、本実施の形態では三列設けている。そして、この三列の通風穴の前後幅を前板２側からＸａ、Ｘｂ、Ｘｃとして、以下、説明する。
【００２５】
このとき、通風穴の前後幅は、送風ファン５に近いほど狭まる構成としている。すなわち、Ｘａ＜Ｘｂ＜Ｘｃとなるように構成し、上述したＪＩＳの規定をクリアしつつも、さらに安全性を確保することができる。なお、本実施の形態ではＸａ＜Ｘｂ＜Ｘｃとしたが、これに限定されることはなく、例えば、Ｘａ＜Ｘｂ＝Ｘｃとしてもよいし、Ｘａ＝Ｘｂ＜Ｘｃとしてもよい。すなわち、最も送風ファン５に近い幅のみが、他の幅に比べて最も狭い構成としていればよい。
【００２６】
また、図４に示すように、縦桟１１の断面形状において、幅Ｈｗ、高さＨｔとしたとき、高さＨｔ＞幅Ｈｗとしたことによって、より外力に対する強度を向上させることができる。
【００２７】
以上のように、本発明においては、送風グリルの強度を確保しつつも、一定の送風能力を確保することができる。
【産業上の利用可能性】
【００２８】
以上のように、本発明は、空気調和機の室外機以外にも、ヒートポンプ式給湯機の室外ユニットにも適用することができる。
【符号の説明】
【００２９】
１  室外機
６  送風グリル
【図１】
2012233657.tif 000003
【図２】
2012233657.tif 000004
【図３】
2012233657.tif 000005
【図４】
2012233657.tif 000006
【図５】
2012233657.tif 000007